(57)【要約】【課題】１文字または少ない文字が表示領域全面に拡大表示されている状態で照明が点灯されても、使用者の期待する時間よりも短い時間で、照明が消灯されることを防止できる照明制御装置を提供する。【解決手段】この照明制御装置は、表示領域に文字が表示される非発光型の表示部２と、表示部２を照明するバックライト装置３と、表示領域に表示されている文字が占める文字面積Ｓｂおよび表示領域の表示面積Ｓａを求める面積算出部５と、表示面積Ｓａに対する文字面積Ｓｂの面積比Ｋを求める面積比算出部６と、面積比Ｋが大きいほどバックライト装置３の点灯時間が長くなるように前記点灯時間を設定し、設定した点灯時間に基づいてバックライト装置３を点灯させる制御部１１とを備える。【選択図】図１
2014049254.tif 000002
【特許請求の範囲】
【請求項１】
表示領域を有し前記表示領域に文字が表示される非発光型の表示部と、
前記表示部を照明する照明手段と、
前記表示領域に表示されている文字が占める文字面積および前記表示領域の面積である表示面積を求める面積算出手段と、
前記表示面積に対する前記文字面積の面積比を求める面積比算出手段と、
前記面積比が大きいほど前記照明手段の点灯時間が長くなるように前記点灯時間を設定し、設定した前記点灯時間に基づいて前記照明手段を点灯させる制御手段と、
を備えることを特徴とする照明制御装置。
【請求項２】
請求項１に記載の照明制御装置であって、
前記面積算出手段は、前記文字面積として、前記表示領域に表示されている全文字を含む最小矩形領域の面積を求めることを特徴とする照明制御装置。
【請求項３】
請求項１に記載の照明制御装置であって、
前記面積算出手段は、前記文字面積として、前記表示領域に表示されている全文字を構成するドットの総数である文字ドット総数を求め、前記表示面積として、前記表示領域のドットの総数である表示ドット総数を求めることを特徴とする照明制御装置。
【請求項４】
請求項１〜３の何れか１つに記載の照明制御装置であって、
前記表示領域を拡大表示する表示制御手段を更に備え、
前記制御手段は、前記照明手段の点灯中に、前記表示領域が拡大表示されて前記表示領域に拡大表示されている文字の文字数が所定数未満である場合は、前記表示領域に拡大表示されている全文字の総画数が多いほど前記照明手段の点灯時間が長くなるように前記点灯時間を再設定し、再設定した点灯時間に基づいて前記照明手段を消灯することを特徴とする照明制御装置。
【請求項５】
請求項１〜３の何れか１つに記載の照明制御装置であって、
前記表示領域を拡大表示する表示制御手段を更に備え、
前記制御手段は、前記照明手段の点灯中に、前記表示領域が拡大表示されて前記表示領域に拡大表示されている文字の文字数が所定数未満である場合は、前記表示領域に拡大表示されている各文字の画数のうちの最大画数を求め、前記最大画数が多いほど前記照明手段の点灯時間が長くなるように前記点灯時間を再設定し、再設定した点灯時間に基づいて前記照明手段を消灯することを特徴とする照明制御装置。
【請求項６】
非発光型の発光部の表示領域に表示されている文字が占める文字面積および前記表示領域の面積である表示面積を求める面積算出工程と、
前記表示面積に対する前記文字面積の面積比を求める面積比算出工程と、
前記面積比が大きいほど前記表示部を照明する照明手段の点灯時間が長くなるように前記点灯時間を設定し、設定した前記点灯時間に基づいて前記照明手段を点灯させる制御工程と、
を備えることを特徴とする照明制御方法。
【請求項７】
請求項１〜５の何れか１つに記載の照明制御装置としてコンピュータを機能させるための照明制御プログラムであって、コンピュータを上記各手段として機能させるための照明制御プログラム。
【請求項８】
請求項７に記載の照明制御プログラムを記憶したコンピュータ読み取り可能な記憶媒体。
【発明の詳細な説明】
【技術分野】
【０００１】
本発明は、液晶表示部等の非発光型表示部を照明する照明装置を制御する照明制御装置、照明制御方法、照明制御プログラム、および、記憶媒体に関する。
【背景技術】
【０００２】
近年、携帯機器の表示部として、液晶表示部等の非発光型の表示部が広く採用されている。このような非発光型の表示部を用いた携帯機器には、表示部を照明するバックライト装置等の照明装置が備えられている。照明装置は消費電力が大きいので、従来より、照明装置の消費電力を低減するための節電技術が提案されている（例えば特許文献１）。
【０００３】
特許文献１には、表示画面に表示された文字の数（表示文字数）をカウントし、表示文字数が多い場合は、バックライト装置の点灯時間を長くし、表示文字数が少ない場合は、バックライト装置の点灯時間を短くすることで、バックライト装置の消費電力を低減する技術が開示されている。
【０００４】
特許文献１では、表示文字数と、その文字を使用者が読み取るのに必要な時間とが比例するとして、表示文字数に合わせてバックライト装置の点灯時間を制御することで、無駄な点灯時間を少なくし、消費電力を低減している。
【先行技術文献】
【特許文献】
【０００５】
【特許文献１】特開２００９−００４９８１号公報
【発明の概要】
【発明が解決しようとする課題】
【０００６】
しかしながら、特許文献１では、表示文字数に基づいてバックライト装置の点灯時間が制御されるので、例えな電子辞書で漢字の書き方などを調べる時に、１文字または少ない文字が表示領域全面に拡大表示されている状態で、バックライト装置（即ち、照明）が点灯されると、使用者の想定する時間よりも短い時間で、バックライト装置が消灯されるという問題点があった。
【０００７】
そこで、本発明は、上記の問題点を鑑みてなされたものであり、１文字または少ない文字が表示領域全面に拡大表示されている状態で、照明が点灯されても、使用者の期待する時間よりも短い時間で、照明が消灯されることを防止できる照明制御装置、照明制御方法、照明制御プログラム、および、記憶媒体を提供することを目的とする。
【課題を解決するための手段】
【０００８】
上記課題を解決するために、本発明の照明制御装置は、表示領域を有し前記表示領域に文字が表示される非発光型の表示部と、前記表示部を照明する照明手段と、前記表示領域に表示されている文字が占める文字面積および前記表示領域の面積である表示面積を求める面積算出手段と、前記表示面積に対する前記文字面積の面積比を求める面積比算出手段と、前記面積比が大きいほど前記照明手段の点灯時間が長くなるように前記点灯時間を設定し、設定した前記点灯時間に基づいて前記照明手段を点灯させる制御手段と、を備える。
【０００９】
本発明の照明制御装置は、上記に記載の照明制御装置であって、前記面積算出手段は、前記文字面積として、前記表示領域に表示されている全文字を含む最小矩形領域の面積を求める。
【００１０】
本発明の照明制御装置は、上記に記載の照明制御装置であって、前記面積算出手段は、前記文字面積として、前記表示領域に表示されている全文字を構成するドットの総数である文字ドット総数を求め、前記表示面積として、前記表示領域のドットの総数である表示ドット総数を求める。
【００１１】
本発明の照明制御装置は、上記に記載の照明制御装置であって、前記表示領域を拡大表示する表示制御手段を更に備え、前記制御手段は、前記照明手段の点灯中に、前記表示領域が拡大表示されて前記表示領域に拡大表示されている文字の文字数が所定数未満である場合は、前記表示領域に拡大表示されている全文字の総画数が多いほど前記照明手段の点灯時間が長くなるように前記点灯時間を再設定し、再設定した点灯時間に基づいて前記照明手段を消灯する。
【００１２】
本発明の照明制御装置は、上記に記載の照明制御装置であって、前記表示領域を拡大表示する表示制御手段を更に備え、前記制御手段は、前記照明手段の点灯中に、前記表示領域が拡大表示されて前記表示領域に拡大表示されている文字の文字数が所定数未満である場合は、前記表示領域に拡大表示されている各文字の画数のうちの最大画数を求め、前記最大画数が多いほど前記照明手段の点灯時間が長くなるように前記点灯時間を再設定し、再設定した点灯時間に基づいて前記照明手段を消灯する。
【００１３】
本発明の照明制御方法は、非発光型の発光部の表示領域に表示されている文字が占める文字面積および前記表示領域の面積である表示面積を求める面積算出工程と、前記表示面積に対する前記文字面積の面積比を求める面積比算出工程と、前記面積比が大きいほど前記表示部を照明する照明手段の点灯時間が長くなるように前記点灯時間を設定し、設定した前記点灯時間に基づいて前記照明手段を点灯させる制御工程と、を備える。
【００１４】
尚、前記照明制御装置は、コンピュータによって実現してもよく、この場合には、コンピュータを前記照明制御装置の各手段として動作させることで、前記照明制御装置をコンピュータにて実現させる照明制御プログラムおよびそれを記憶したコンピュータ読み取り可能な記憶媒体も本発明の範疇に入る。
【発明の効果】
【００１５】
本発明の照明制御装置、照明制御方法、照明制御プログラム、および、記憶媒体によれば、１文字または少ない文字が表示領域全面に拡大表示されている状態で、照明が点灯されても、使用者の期待する時間よりも短い時間で、照明が消灯されることを防止できる。
【図面の簡単な説明】
【００１６】
【図１】本発明の第１実施形態に係る携帯機器の構成概略図である。
【図２】表示部の表示画面の表示例を示した図である。
【図３】表示部の表示画面の表示例を示した図である。
【図４】表示部の表示画面の表示例を示した図である。
【図５】面積比とバックライト点灯時間との対応関係の一例を示した図である。
【図６】表示部の表示画面の拡大表示の例を示した図である。
【図７】表示部の表示画面の拡大表示の例を示した図である。
【図８】表示部の表示画面の拡大表示の例を示した図である。
【図９】総画数とバックライト点灯時間との対応関係の一例を示した図である。
【図１０】本発明の第１実施形態に係る携帯機器の動作を説明するフローチャートである。
【発明を実施するための形態】
【００１７】
以下、本発明の実施形態を添付図面を参照して詳細に説明する。
【００１８】
≪第１実施形態≫
＜構成説明＞
図１は、第１実施形態に係る照明制御装置を搭載した携帯機器の構成概略図であり、図２〜図４はそれぞれ、表示部の表示画面の表示例を示した図であり、図５は、面積比とバックライト点灯時間との対応関係の一例を示した図であり、図６〜図８はそれぞれ、表示部の表示画面の拡大表示の例であり、図９は、総画数とバックライト点灯時間との対応関係の一例を示した図である。
【００１９】
この実施形態に係る携帯機器１は、図１に示すように、例えば、操作入力部９の操作により入力された文字の意味等を検索しその検索結果を表示する電子辞書として構成されており、非発光型の表示部２の表示領域２ｂ（図２参照）に辞書機能の検索結果等の文字が表示され、その表示されている文字に対して、表示領域２ｂの面積（以後、表示面積と呼ぶ）Ｓａに対する文字の占める面積（以後、文字面積と呼ぶ）Ｓｂの面積比Ｋ（＝Ｓｂ／Ｓａ）が求められ、その面積比Ｋが大きいほど、表示部２を照明する照明装置（照明手段）３の点灯時間が長くなるように、前記点灯時間が設定されるものである。以下、この携帯機器１について詳説する。
【００２０】
この携帯機器１は、非発光型の表示部２の一例である液晶表示部（以後、液晶表示部２と呼ぶ）と、照明装置３の一例であるバックライト装置（以後、バックライト装置３と呼ぶ）と、液晶表示部２の表示を制御する表示制御部（表示制御手段）４と、液晶表示部２の表示面積Ｓａおよび文字面積Ｓｂを求める面積算出部（面積算出手段）５と、表示面積Ｓａに対する文字面積Ｓｂの面積比Ｋ（＝Ｓｂ／Ｓａ）を求める面積比算出部（面積比算出手段）６と、液晶表示部２に表示されている文字を認識する文字認識部７と、各種の処理に必要なデータ等が記憶された記憶部８と、携帯機器１の操作が入力される操作入力部９と、操作入力部９の操作により入力された検索対象の文字の意味等を検索する検索部１０と、これら各構成要素１〜１０を制御する制御部（制御手段）１１とを備えている。
【００２１】
操作入力部９は、例えば、検索対象の文字を入力する文字入力キー９ａ、バックライト装置３を点灯させる点灯キー９ｂ、液晶表示部２の表示領域２ｂを拡大表示させる拡大キー９ｃおよび縮小表示させる縮小キー９ｄ、液晶表示部２の表示領域２ｂを上下左右にスクロールさせるスクロールキー９ｅなどを備えている。
【００２２】
拡大キー９ｃは、例えば押しボタンであり、拡大キー９ｃが長押しされるほど、液晶表示部２の表示領域２ｂが大きく拡大表示される。また、縮小キー９ｄは、例えば押しボタンであり、縮小キー９ｄが長押しされるほど液晶表示部２の表示領域２ｂが小さく縮小表示される。縮小キー９ｄは、例えば、拡大キーで拡大表示された表示領域２ｂを元の表示サイズに戻すときに用いられる。
【００２３】
なお、この操作入力部９では、拡大キー９ｃの操作で表示領域２ｂが拡大表示された後、スクロールキー９ｅの操作で表示領域２ｂが所望の方向にスクロールされることで、表示領域２ｂの全面に使用者の所望の文字を拡大表示させることができる。
【００２４】
液晶表示部２は、例えば図２示すように、ドットマトリックス表示方式で矩形の表示画面２ａを有している。表示画面２ａには、操作入力部９の操作により入力された文字、または、この携帯機器１の辞書機能の検索結果などが表示される例えば矩形の表示領域２ｂが設定されている。
【００２５】
バックライト装置３は、液晶表示部２の背面側に配置されている。バックライト装置３の点灯／消灯は、制御部１１により制御される。バックライト装置３は、その点灯状態では、液晶表示部２の背面側から表示画面２ａの全面に一様に照明光を照射して、表示画面２ａを液晶表示部２の前面側に照らし出す。
【００２６】
なお、バックライト装置３と液晶表示部２との間に、半透過型の反射板（図示省略）が配置されている。周囲が明るい環境の下では、前記反射板により、外部から表示画面２ａの前面に入射した外光が表示画面２ａの前面側に反射されて、表示画面２ａが照らし出される。他方、周囲が暗い環境の下では、操作入力部９の操作によるバックライト装置３の点灯により、表示画面２ａが照らし出される。
【００２７】
表示制御部４は、制御部１１の制御に応じて、液晶表示部２に検索対象の文字および検索部１０の検索結果等を表示する。また、表示制御部４は、制御部１１の制御に応じて、液晶表示部２の表示領域２ｂを拡大表示または縮小表示すると共に、液晶表示部２の表示領域２ｂを所定方向にスクロールさせる。
【００２８】
検索部１０は、制御部１１の制御に応じて、記憶部８に記憶されている検索用のデータベースを用いて、操作入力部９の操作により入力された検索対象の文字の意味等を検索し、その検索結果を制御部１１に出力する。
【００２９】
面積算出部５は、例えば図２に示すように、液晶表示部２の表示領域２ｂにおいて、表示領域２ｂに表示されている全ての文字を囲むことが可能な最も小さい矩形領域（以後、最小矩形領域と呼ぶ）Ｗを設定し、最小矩形領域Ｗが占める面積を、表示領域２ｂに表示されている文字の文字面積Ｓｂとして求める。また、面積算出部５は、例えば表示領域２ｂのサイズに基づいて表示領域２ｂの表示面積Ｓａを求める。ここでは、表示領域２ｂの表示面積Ｓａは、固定値であるので、固定値として予め設定されており、面積算出部５は、その固定値を表示面積Ｓａとして用いる。
【００３０】
面積比算出部６は、面積算出部５により求められた表示面積Ｓａおよび文字面積Ｓｂを用いて、表示面積Ｓａに対する文字面積Ｓｂの面積比Ｋ（＝Ｓｂ／Ｓａ）を求める。
【００３１】
文字認識部７は、例えば画像処理により、表示領域２ｂに表示されている文字を認識して、表示領域２ｂに表示されている文字の数（文字数）および総画数（即ち、各文字の画数の総和）を検出する。ここでは、記憶部８に各種の文字の画数の情報（文字画数情報）が記憶されており、文字認識部７は、前記文字画数情報に基づいて、それが認識した各文字の画数を検出し、その検出した画数の総和を算出して、前記総画数を検出する。
【００３２】
制御部１１は、文字入力キー９ａの操作により検索対象の文字が入力された場合は、表示制御部４を制御して、液晶表示部２に液晶表示部２の表示領域２ｂに当該文字を表示させると共に、検索部１０を制御して、当該文字の意味等を、記憶部８に記憶されている検索用のデータベースを用いて検索させる。そして、制御部１１は、検索部１０による検索が終了すると、表示制御部４を制御して、その検索結果を液晶表示部２の表示領域２ｂに表示させる。
【００３３】
また、制御部１１は、バックライト装置３の点灯キー９ｂが操作された場合は、下記（ａ１）〜（ａ３）の処理を行ってバックライト装置３の点灯時間を設定し、その設定時から、その設定した点灯時間が経過するまで、バックライト装置３を点灯させる。
【００３４】
（ａ１）制御部１１は、面積算出部５を制御して、液晶表示部２の表示領域２ｂに表示されている文字の文字面積Ｓｂおよび表示領域２ｂの表示面積Ｓａを求めさせる。
【００３５】
（ａ２）制御部１１は、面積比算出部６を制御して、面積算出部５により求められた表示面積Ｓａおよび文字面積Ｓｂを用いて、表示面積Ｓａに対する文字面積Ｓｂの面積比Ｋを求めさせる。
【００３６】
（ａ３）制御部１１は、面積比算出部６により求められた面積比Ｋが大きいほどバックライト装置３の点灯時間が長くなるように、バックライト装置３の点灯時間を設定する。より詳細には、記憶部８には、面積比Ｋと点灯時間（バックライト点灯時間）とが対応付けられた第１対応表が記憶されている。前記第１対応表では、例えば図５に示すように、面積比Ｋが大きいほど点灯時間が長くなるように、面積比Ｋと点灯時間とが対応付けられている。前記第１対応表では、例えば図２〜図４の表示画面の場合、面積比Ｋは図２，図３，図４の順に大きくなるので、点灯時間も図２，図３，図４の順に大きくなる。制御部１１は、前記第１対応表に基づいて、面積比算出部６により求められた面積比Ｋに対応する点灯時間を、バックライト装置３の点灯時間として、設定する。例えば、面積比Ｋ＝０．３の場合は、前記第１対応表に基づいて、点灯時間は３０秒となる。
【００３７】
また、制御部１１は、拡大キー９ｃが操作された場合は、表示制御部４を制御して、拡大キー９ｃの長押し時間に比例した拡大率で液晶表示部２の表示領域２ｂを拡大表示させ、また、縮小キー９ｄが操作された場合は、表示制御部４を制御して、縮小キー９ｄの長押し時間に反比例した縮小率で液晶表示部２の表示領域２ｂを縮小表示させる。また、制御部１１は、スクロールキー９ｅが操作されると、表示制御部４を制御して、スクロールキー９ｅで指定された方向に表示領域２ｂをスクロールさせる。
【００３８】
また、制御部１１は、バックライト装置３の点灯中に、表示領域２ｂが拡大表示された場合（即ち、表示領域２ｂに表示されている文字中の一部の文字が表示領域２ｂ全面に拡大表示された場合）は、下記（ｂ１）〜（ｂ４）の処理を行ってバックライト装置３の点灯時間を再設定し、その再設定時から、その再設定した点灯時間が経過するまで、バックライト装置３を点灯させる。
【００３９】
（ｂ１）制御部１１は、文字認識部７を制御して、表示領域２ｂに拡大表示されている文字（即ち前記一部の文字）の文字数を検出させる。
【００４０】
（ｂ２）制御部１１は、文字認識部７による文字数検出の結果に基づいて、表示領域２ｂに拡大表示されている文字の文字数が所定の数（例えば３文字）以上であるか否かの判定を行う。
【００４１】
（ｂ３）制御部１１は、上記の判定の結果、拡大表示されている文字の文字数が所定の数以上でない場合は、文字認識部７を制御して、拡大表示されている文字の総画数（即ち、各文字の画数の総和）を検出させる。
【００４２】
（ｂ４）制御部１１は、文字認識部７により検出された総画数が多い（即ち、文字が難しい）ほどバックライト装置３の点灯時間が長くなるように、バックライト装置３の点灯時間を再設定する。より詳細には、記憶部８には、総画数と点灯時間とが対応付けられた第２対応表が記憶されている。前記第２対応表では、例えば図９に示すように、総画数が多いほど点灯時間が長くなるように、総画数と点灯時間（バックライト点灯時間）とが対応付けられている。例えば図６〜図７の表示画面では、総画数は図８，図７，図６の順に多くなるので、点灯時間も図８，図７，図６の順に長くなる。制御部１１は、前記第２対応表に基づいて、文字認識部７により求められた総画数に対応する点灯時間を、バックライト装置３の点灯時間として、再設定する。例えば、総画数が３３画の場合は、図９に基づいて、点灯時間は６０秒に再設定される。
【００４３】
なお、ここでは、点灯時間の再設定時から、再設定した点灯時間の計時を開始するが、そうする代わりに、表示領域２ｂが拡大表示された時から、再設定した点灯時間の計時を開始してもよい。
【００４４】
＜動作説明＞
次に、図１０に基づいて、携帯機器１の主要な動作（バックライト装置３の点灯を制御する動作（照明制御方法））を説明する。図１０は、携帯機器１の主要な動作を説明するフローチャートである。
【００４５】
ステップＳ１では、点灯キー９ｂがオン操作された場合（ＹＥＳ）は、処理がステップＳ２に進み、点灯キー９ｂがオン操作されない場合（ＮＯ）は、処理がステップＳ１に戻る。
【００４６】
ステップＳ２では、点灯キー９ｂのオン操作が制御部１１により検出される。そして、制御部１１により点灯キー９ｂのオン操作が検出されると、面積算出部５により、液晶表示部２の表示領域２ｂに表示されている文字の文字面積Ｓｂおよび表示領域２ｂの表示面積Ｓａが求められる。そして、処理がステップＳ３に進む。
【００４７】
ステップＳ３では、面積比算出部６により、面積算出部５により求められた表示面積Ｓａおよび文字面積Ｓｂに基づいて、面積比Ｋ（＝Ｓｂ／Ｓａ）が求められる。そして、処理がステップＳ４に進む。
【００４８】
ステップＳ４では、制御部１１により、記憶部８に記憶されている前記第１対応表に基づいて、面積比算出部６により求められた面積比Ｋに対応する点灯時間が選択され、その選択された点灯時間がバックライト装置３の点灯時間として設定される。そして、処理がステップＳ５に進む。
【００４９】
ステップＳ５では、制御部１１により、バックライト装置３が点灯される。そして、処理がステップＳ６に進む。
【００５０】
ステップＳ６では、制御部１１により、ステップＳ５の点灯時から、ステップＳ４で設定された点灯時間の計時が開始される。そして、処理がステップＳ７に進む。
【００５１】
ステップＳ７では、ステップ６の計時が終了した場合は、処理がステップＳ８に進み、他方、ステップ６の計時が終了していない場合は、処理がステップＳ９に進む。
【００５２】
ステップＳ８では、制御部１１によりバックライト装置３が消灯されて、処理が終了する。
【００５３】
ステップＳ９では、バックライト装置３の点灯中に拡大キー９ｃが操作されない場合（ＮＯ）は、処理がステップＳ７に戻り、他方、バックライト装置３の点灯中に拡大キー９ｃ操作された場合（ＹＥＳ）は、処理がステップＳ１０に進む。
【００５４】
ステップＳ１０では、表示制御部４により、拡大キー９ｃの長押し時間に比例した拡大率で液晶表示部２の表示領域２ｂが拡大表示される。そして、処理がステップＳ１１に進む。
【００５５】
なお、ステップＳ９およびＳ１０では、説明便宜上、拡大キー９ｃの操作だけが行われて或る文字が表示領域２ｂ全面に拡大表示されることを想定するが、拡大キー９ｃ、縮小キー９ｄおよびスクロールキー９ｅの各々の操作が組み合わされて、所望の文字が表示領域２ｂ全面に拡大表示されてもよい。
【００５６】
ステップＳ１１では、文字認識部７により、液晶表示部２の表示領域２ｂに表示されている文字の文字数が検出される。そして、制御部１１により、文字認識部７により検出された文字数が所定の数（例えば３文字）以上であるか否かが判定される。その判定の結果、文字数が所定の数以上である場合（ＹＥＳ）は、処理がステップＳ７に戻り、他方、文字数が所定の数以上でない場合（ＮＯ）は、処理がステップＳ１２に進む。
【００５７】
ステップＳ１２では、文字認識部７により、液晶表示部２の表示領域２ｂに表示されている文字の総画数が検出される。そして、処理がステップＳ１３に進む。
【００５８】
ステップＳ１３では、制御部１１により、記憶部８に記憶されている前記第２対応表に基づいて、文字認識部７により検出された総画数に対応する点灯時間が選択され、その選択された点灯時間がバックライト装置３の点灯時間として再設定される。そして、処理がステップＳ１４に進む。
【００５９】
ステップＳ１４では、制御部１１により、ステップＳ７の計時が中止されて、ステップＳ１３の再設定時から、ステップＳ１３で再設定された点灯時間の計時が開始される。そして、処理がステップＳ１５に進む。
【００６０】
ステップＳ１５では、ステップ１４の計時が終了した場合は、処理がステップＳ８に進み、制御部１１によりバックライト装置３が消灯されて処理が終了し、他方、ステップ１５の計時が終了していない場合は、処理がステップＳ１５に戻る。
【００６１】
このように、この携帯機器１では、液晶表示部２の表示領域２ｂに表示されている文字に対して、表示領域２ｂの表示面積Ｓａに対する文字面積Ｓｂの面積比Ｋが求められ、その面積比Ｋが大きいほどバックライト装置３の点灯時間が長くなるように前記点灯時間が設定され、その設定された点灯時間に基づいてバックライト装置３が点灯される（ステップＳ１→Ｓ２→Ｓ３→Ｓ４→Ｓ５→Ｓ６→Ｓ７→Ｓ８）。これにより、表示領域２ｂが拡大表示されていない状態では勿論のこと、特に表示領域２ｂが拡大表示されている状態で、バックライト装置３が点灯されても、使用者の期待する時間よりも短い時間で、バックライト装置３が消灯されることを防止できる。
【００６２】
そして、バックライト装置３の点灯中に、表示領域２ｂが拡大表示されて表示領域２ｂに表示されている文字の文字数が所定数未満の場合は、拡大表示されている全文字の総画数が多いほどバックライト装置３の点灯時間が長くなるように前記点灯時間が再設定され、その再設された点灯時間が経過すると、バックライト装置３が点灯される（ステップＳ９→Ｓ１０→Ｓ１１→Ｓ１２→Ｓ１３→Ｓ１４→Ｓ１５→Ｓ８）。これにより、拡大表示されている全文字の総画数に基づくことで、より最適な点灯時間が再設定されるので、より一層、使用者の期待する時間、バックライト装置３を点灯できる。
【００６３】
なお、この実施形態では、点灯キー９ｂのオン操作でバックライト装置３が点灯されるが、表示領域２ｂに文字が表示されたときに自動的にバックライト装置３が点灯されてもよい。
【００６４】
＜主要な効果＞
以上のように構成された携帯機器１（従って、照明制御装置および照明制御方法）によれば、表示面積Ｓａに対する文字面積Ｓｂの面積比Ｋが大きいほどバックライト装置３の点灯時間が長くなるようにバックライト装置３の点灯時間が設定され、設定された点灯時間に基づいてバックライト装置３が点灯されるので、１文字または少ない文字が表示領域２ｂ全面に拡大表示されている状態で、バックライト装置３が点灯されても、使用者の期待する時間よりも短い時間で、バックライト装置３が消灯されることを防止できる。
【００６５】
なお、ここでは、面積比Ｋが大きいほど表示領域２ｂに表示されている情報量が多くなり、その情報を使用者が読み取るのに必要な時間も多くなることを想定して、面積比Ｋが大きいほどバックライト装置３の点灯時間が長くなるようにバックライト装置３の点灯時間が設定される。
【００６６】
また、文字面積Ｓｂとして、表示領域２ｂに表示されている全文字を含む最小矩形領域Ｗの面積が求められるので、簡単に文字面積Ｓｂを概算できる。
【００６７】
また、表示領域２ｂが拡大表示されて表示領域２ｂに拡大表示されている文字の文字数が所定数未満である場合は、拡大表示されている全文字の総画数が多いほどバックライト装置３の点灯時間が長くなるように点灯時間が再設定され、再設定された点灯時間に基づいてバックライト装置３が消灯されるので、より一層、使用者の期待通りの時間（即ち、使用者の期待する時間よりも短くも長くもない時間）で、バックライト装置３を消灯できる。
【００６８】
なお、ここでは、表示されている文字の総画数が多いほど使用者が読み取るのに必要な時間が多くなることを想定して、表示されている文字の総画数が多いほどバックライト装置３の点灯時間が長くなるようにバックライト装置３の点灯時間が設定される。
【００６９】
≪変形例１≫
第１実施形態では、面積算出部５は、文字面積Ｓｂとして、表示領域２ｂに表示されている全ての文字を囲むことが可能な最小矩形領域Ｗの面積を求めるが、その変形例では、面積算出部５は、文字面積Ｓｂとして、表示領域２ｂに表示されている全ての文字を構成するドットの総数（以後、文字ドット総数と呼ぶ）を求める。そして、この変形例では、面積算出部５は、表示面積Ｓａとして表示領域２ｂのドットの総数（以後、表示ドット総数と呼ぶ）を求め、面積比Ｋ（＝Ｓｂ／Ｓａ）として、表示ドット総数に対する文字ドット総数のドット比を求める。
【００７０】
この構成によれば、文字面積Ｓｂとして、表示領域２ｂに表示されている全文字を構成するドットの総数である文字ドット総数が求められ、表示面積Ｓａとして、表示領域２ｂのドットの総数である表示ドット総数を求められるので、表示面積Ｓａに対する文字面積Ｓｂの面積比Ｋを正確に求めることができる。
【００７１】
≪変形例２≫
第１実施形態では、表示領域２ｂに拡大表示されている文字の文字数が所定の数以上でない場合は、文字認識部７は、拡大表示されている文字の総画数（即ち、各文字の画数の総和）が多いほどバックライト装置３の点灯時間が長くなるように、前記点灯時間を設定するが、この変形例では、文字認識部７は、拡大表示されている各文字の画数のうちの最大のもの（最大画数）を求め、その最大画数が多いほどバックライト装置３の点灯時間が長くなるように、前記点灯時間を設定する。
【００７２】
この構成によれば、バックライト装置３の点灯中に、表示領域２ｂが拡大表示されて表示領域２ｂに拡大表示されている文字の文字数が所定数未満である場合は、拡大表示されている各文字の画数のうちの最大画数が求められ、その最大画数が多いほどバックライト装置３の点灯時間が長くなるように点灯時間が再設定され、再設定された点灯時間に基づいてバックライト装置３が消灯されるので、より一層、使用者の期待通りの時間（即ち、使用者の期待する時間よりも短くも長くもない時間）で、バックライト装置３を消灯できる。
【００７３】
なお、ここでは、表示されている各文字の画数のうちの最大画数が多いほど使用者が読み取るのに必要な時間が多くなることを想定して、最大画数が多いほどバックライト装置３の点灯時間が長くなるようにバックライト装置３の点灯時間が設定される。
【００７４】
≪変形例３≫
第１実施形態の携帯機器１（即ち照明制御装置）の各機能ブロック、特に表示部２、照明装置３、表示制御部４、面積算出部５、面積比算出部６、文字認識部７、記憶部８、操作入力部９、検索部１０および制御部１１は、ハードウェアロジックにより構成されてもよく、次のようにＣＰＵを用いてソフトウェアにより実現されてもよい。
【００７５】
即ち、携帯機器１は、その各機能を実現する制御プログラム（照明制御プログラム）の命令を実行するＣＰＵ、前記制御プログラムを格納したＲＯＭ、前記制御プログラムを展開するＲＡＭ、前記制御プログラムおよび各種データを格納するメモリ等の記憶装置（記録媒体）などを備えている。そして、携帯機器１の各機能を実現するソフトウェアである携帯機器１の制御プログラムのプログラムコードをコンピュータで読取可能に記録した記録媒体を、携帯機器１に供給し、携帯機器１のコンピュータが記録媒体に記録されているプログラムコードを読み出して実行することで、携帯機器１が実現される。
【００７６】
前記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７７】
また、携帯機器１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【００７８】
≪付帯事項≫
以上、添付図面を参照しながら本発明の好適な実施形態について説明したが、本発明は斯かる例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【００７９】
また、第１実施形態、第１変形例、第２変形例および第３変形例の何れか２つ以上を組み合わせた発明についても、当然に本発明の技術的範囲に属するものと解される。
【産業上の利用可能性】
【００８０】
本発明は、非発光型の表示部を照明する照明装置を制御する照明制御装置を備える携帯機器（例えば電子辞書など）への適用に最適である。
【符号の説明】
【００８１】
１  携帯機器
２  液晶表示部（表示部）
２ｂ  表示領域
３  バックライト装置（照明手段）
４  表示制御部（表示制御手段）
５  面積算出部（面積算出手段）
６  面積比算出手部（面積比算出手段）
１１  制御部（制御手段）
Ｋ  面積比
Ｓａ  表示面積
Ｓｂ  文字面積
Ｗ  最小矩形領域
【図１】
2014049254.tif 000003
【図２】
2014049254.tif 000004
【図３】
2014049254.tif 000005
【図４】
2014049254.tif 000006
【図５】
2014049254.tif 000007
【図６】
2014049254.tif 000008
【図７】
2014049254.tif 000009
【図８】
2014049254.tif 000010
【図９】
2014049254.tif 000011
【図１０】
2014049254.tif 000012